(57)【要約】【課題】一つの電圧制御発振器を用いて相異する二帯域のＲＦ信号を処理する二重帯域支援受信機を提供する。【解決手段】本発明による二重帯域支援受信機は、第１帯域ＲＦ信号を所定のＩＦ信号に変換する所定の発振周波数を出力する電圧制御発振器ＶＣＯと、第１フィルター１３０の出力と前記電圧制御発振器ＶＣＯとディバイダー１６０の出力に接続され、前記電圧制御発振器ＶＣＯの出力と前記第１帯域ＲＦ信号とを混合するか前記ディバイダー１６０の出力と第２帯域ＲＦ信号とを混合してＩＦ信号を出力するミキサー１４０と、前記第１帯域ＲＦ信号に対しては第１増幅部１１０を駆動して前記電圧制御発振器ＶＣＯの出力を前記ミキサー１４０に直接入力し、前記第２帯域ＲＦ信号に対しては前記第２増幅部１２０を駆動して前記ＶＣＯの出力が前記ディバイダーを通して前記ミキサー１４０に入力されるようスイッチするスイッチ部１７０とを含む。【選択図】図１
2005117611.tif 000002
【特許請求の範囲】
【請求項１】
第１帯域ＲＦ信号または前記第１帯域より低帯域の第２帯域ＲＦ信号を所定のＩＦ信号に変換する二重帯域支援受信機において、
前記第１帯域ＲＦ信号を増幅する第１増幅部と、
前記第２帯域ＲＦ信号を増幅する第２増幅部と、
前記第１増幅部及び前記第２増幅部の出力に接続され、イメージ周波数を除去する第１フィルターと、
前記第１帯域ＲＦ信号を前記ＩＦ信号に変換する所定の発振周波数を所定の比率（ｒａｔｉｏ）で出力する電圧制御発振器と、
前記第２帯域ＲＦ信号を前記ＩＦ信号に変換すべく前記所定の発振周波数を所定の比率で分割するディバイダーと、
前記第１フィルターの出力及び前記電圧制御発振器と前記ディバイダーとの出力に接続され、前記電圧制御発振器の出力と前記第１帯域ＲＦ信号とを混合したり、または前記ディバイダーの出力と前記第２帯域ＲＦ信号とを混合して前記ＩＦ信号を出力するミキサーと、
前記第１帯域ＲＦ信号に対しては前記第１増幅部を駆動して前記電圧制御発振器の出力を前記ミキサーに直接入力し、前記第２帯域ＲＦ信号に対しては前記第２増幅部を駆動して前記電圧制御発振器の出力が前記ディバイダーを通して前記ミキサーに入力されるようスイッチするスイッチ部と、
を有することを特徴とする二重帯域支援受信機。
【請求項２】
前記スイッチ部はＰＬＬ／Ｉ２Ｃにより制御されることを特徴とする請求項１に記載の二重帯域支援受信機。
【請求項３】
前記ＰＬＬ／Ｉ２Ｃは内部にチャネル情報を有し、同一な制御電圧を利用して前記電圧制御発振器と前記第１フィルターを制御することを特徴とする請求項２に記載の二重帯域支援受信機。
【請求項４】
前記ミキサーの出力と前記受信機の出力端との間に、チャネル選択のためＩＣチップ上に設けられる第２フィルターをさらに有することを特徴とする請求項１に記載の二重帯域支援受信機。
【請求項５】
第１帯域ＲＦ信号または前記第１帯域より低帯域の第２帯域ＲＦ信号を所定のＩＦ信号に変換する二重帯域支援受信機において、
前記第１帯域ＲＦ信号を増幅する第１増幅部と、
前記第１増幅部の出力に接続され、イメージ周波数を除去する第１フィルターと、
前記第１帯域ＲＦ信号を前記ＩＦ信号に変換する所定の発振周波数を出力する電圧制御発振器と、
前記第１フィルターの出力と前記電圧制御発振器に接続され、前記第１フィルター出力と前記電圧制御発振器の出力とを混合して前記第２帯域ＲＦ信号を出力する第１ミキサーと、
前記第２帯域ＲＦ信号を増幅する第２増幅部と、
前記第１ミキサー及び前記第２増幅部の出力に接続され、イメージ周波数を除去する第２フィルターと、
前記第２帯域ＲＦ信号を前記ＩＦ信号に変換すべく前記所定の発振周波数を所定の比率で分割するディバイダーと、
前記第２フィルターの出力と前記ディバイダーの出力に接続され、前記第２フィルターの出力と前記ディバイダーの出力を用いて前記ＩＦ信号を出力する第２ミキサーと、
前記第１帯域ＲＦ信号に対しては前記第１増幅部を駆動して前記電圧制御発振器の出力を前記第１ミキサーに直接入力し、前記第２帯域ＲＦ信号に対しては前記第２増幅部を駆動して前記電圧制御発振器の出力が前記ディバイダーを通して前記第２ミキサーに入力されるようスイッチするスイッチ部と、
を有することを特徴とする二重帯域支援受信機。
【請求項６】
前記スイッチ部はＰＬＬ／Ｉ２Ｃにより制御されることを特徴とする請求項５に記載の二重帯域支援受信機。
【請求項７】
前記ＰＬＬ／Ｉ２Ｃは内部にチャネル情報を有し、同一な制御電圧を利用して前記電圧制御発振器と前記第１フィルターと前記第２フィルターを制御することを特徴とする請求項６に記載の二重帯域支援受信機。
【請求項８】
前記第２ミキサーの出力と前記受信機の出力端との間に、チャネル選択のためＩＣチップ上に設けられる第３フィルターをさらに有することを特徴とする請求項５に記載の二重帯域支援受信機。
【発明の詳細な説明】
【技術分野】
【０００１】
本発明はディジタルマルチメディア放送（Ｄｉｇｉｔａｌ  Ｍｕｌｔｉｍｅｄｉａ  Ｂｒｏａｄｃａｓｔｉｎｇ：「ＤＭＢ」）またはディジタルオーディオ放送（Ｄｉｇｉｔａｌ  Ａｕｄｉｏ  Ｂｒｏａｄｃａｓｔｉｎｇ：「ＤＡＢ」）においてＲＦ信号をＩＦ信号に変換する受信機に関するもので、とりわけシリコン（Ｓｉｌｉｃｏｎ）工程を用いるＣＭＯＳ工程によりＡＳＩＣチップに具現されるＤＭＢ用二重帯域支援受信機に関するものである。
【背景技術】
【０００２】
図３は従来のツーチップ（ｔｗｏ  ｃｈｉｐ）ヘテロダイン（Ｈｅｔｅｒｏｄｙｎｅ）方式による受信機の回路図である。図３によると、従来のツーチップ（ｔｗｏ  ｃｈｉｐ）ヘテロダイン（Ｈｅｔｅｒｏｄｙｎｅ）方式による受信機は次のように構成される。先ず、Ｌ−バンド（Ｌ−Ｂａｎｄ）（１４５２〜１４９２ＭＨｚ）用アンテナ（３０１）を通して受信された信号は入力側において前記Ｌ−バンドの信号を濾過するための帯域通過フィルター（Ｂａｎｄ  Ｐａｓｓ  Ｆｉｌｔｅｒ：「ＢＰＦ」）（３０２）を通して一つのＩＣチップで形成されるＬ−バンド処理部（３１０）に提供される。すると、前記Ｌ−バンド処理部（３１０）の内部の低ノイズ増幅器（Ｌｏｗ  Ｎｏｉｓｅ  Ａｍｐｌｉｆｉｅｒ：「ＬＮＡ」）（３１１）は受信信号に含まれたノイズ（ｎｏｉｓｅ）の増幅をできる限り抑制し、所望の信号のみ増幅してから自動利得調節器（Ａｕｔｏｍａｔｉｃ  Ｇａｉｎ  Ｃｏｎｔｒｏｌｌｅｒ：「ＡＧＣ」）（３１２）に提供する。前記ＡＧＣ（３１２）は前記受信信号に対して常に一定の大きさの出力を提供できるよう利得を自動的に調節する。
【０００３】
前記ＡＧＣ（３１２）の出力は、前記Ｌ−バンド処理部（３１０）に該当するＩＣチップの外部に構成されるイメージフィルター（Ｉｍａｇｅ  Ｆｉｌｔｅｒ）（３１３）によりイメージ周波数が除去された後、ミキサー（３１４）に入力される。
【０００４】
すると、前記ミキサー（３１４）は前記受信信号と電圧制御発振器（Ｖｏｌｔａｇｅ  Ｃｏｎｔｒｏｌｌｅｄ  Ｏｓｃｉｌｌａｔｏｒ）（３１５）から提供される周波数を合成してバンド＿ＩＩＩ（Ｂａｎｄ＿ＩＩＩ）（１７４〜２４０ＭＨｚ）信号を取り出す。そして、前記ミキサー（３１４）の出力は他のＬＮＡ（３１６）で増幅された後、帯域通過フィルター（ＢＰＦ）（３２２）を経てバンド＿ＩＩＩ処理部（３３０）に提供される。ここで、前記ＶＣＯ（３１５）はＰＬＬ／Ｉ２Ｃ（３１７）により制御され、前記Ｌ−バンド処理部（３１０）の外部に別途設けられる。
【０００５】
以後には前記Ｌ−バンド（Ｌ−Ｂａｎｄ）用アンテナ（３０１）から受信された信号は前記バンド＿ＩＩＩ処理部（３３０）の処理過程により所望の中間周波数（Ｉｎｔｅｒｍｅｄｉａｔｅ  Ｆｒｅｑｕｅｎｃｙ：「ＩＦ」）に変換される。
【０００６】
以下、前記バンド＿ＩＩＩ処理部（３３０）の動作について説明する。前記Ｌ−バンド処理部（３１０）またはバンド−ＩＩＩ用アンテナ（３２１）から提供される信号は前記バンド−ＩＩＩ帯域の信号を濾過するための帯域通過フィルター（ＢＰＦ）（３２２）を通してやはり一つのＩＣチップで形成されるバンド−ＩＩＩ処理部（３３０）に提供される。
【０００７】
そして、前記受信信号はバンド＿ＩＩＩ処理部（３３０）内部のＬＮＡ（３３１）と、ＡＧＣ（３３２）と、イメージ除去のための外部帯域通過フィルター（ＢＰＦ）（３３３）とを経てミキサー（３３４）に提供する。すると、前記ミキサー（３３４）は前記受信信号と電圧制御発振器（ＶＣＯ）（３３５）から提供する周波数とを合成する。以後、前記ミキサー（３３４）の出力はバッファ（３３６）と、他の帯域通過フィルター（ＢＰＦ）（３３７）と、他のＡＧＣ（３３８）と、所望のチャネル選択のためのさらに他の帯域通過フィルター（ＢＰＦ）（３３９）とを経て所定の中間周波数（ＩＦ）に変換される。
【０００８】
ここで、前記ＶＣＯ（３３５）はＰＬＬ／Ｉ２Ｃ（３４０）により制御され、前記バンド＿ＩＩＩ処理部（３３０）の外部に別途設けられる。このような従来のツーチップヘテロダイン方式の受信機は、Ｌ−バンド信号を処理すべくＬ−バンド処理部（３１０）チップばかりでなくバンド＿ＩＩＩ処理部（３３０）チップを併用しなければならないという問題がある。
【０００９】
また、前記Ｌ＿バンド処理部（３１０）及びバンド＿ＩＩＩ処理部（３３０）の外部に各々別途に電圧制御発振器（ＶＣＯ）（３１５、３３５）を設けなければならないので、作製費用が多くなるという問題がある。また、ヘテロダイン方式の受信機は受信信号をＩＦ信号に変換する過程において信号の減衰が頻発するという問題がある。
【００１０】
図４は従来のワンチップ（ｏｎｅ  ｃｈｉｐ）二重帯域支援受信機の回路図である。図４によると、従来のワンチップ二重帯域支援受信機（４００）は  Ｌ−バンド及びバンド＿ＩＩＩの信号がすべて処理でき、次のように構成される。
【００１１】
先ず、Ｌ−バンド用アンテナ（４０１）から受信された信号は第１ＢＰＦ（４０２）を通して一つのチップで形成されるＲＦ処理部（４３０）に提供される。すると前記ＲＦ処理部（４３０）内部の第１ＬＮＡ（４０３）は受信信号に含まれたノイズ（ｎｏｉｓｅ）の増幅をできる限り抑制し、所望の信号のみ増幅してから第１ＡＧＣ（４０４）に提供する。前記第１ＡＧＣ（４０４）は前記受信信号に対して常に一定の大きさの出力が提供できるよう利得を自動的に調節する。
【００１２】
前記第１ＡＧＣ（４０４）の出力は、前記ＲＦ処理部（４３０）に該当するＩＣチップの外部に設けられイメージ除去をする第２ＢＰＦ（４０５）によりイメージ周波数が除去された後、第１ミキサー（４０６）に入力される。
【００１３】
すると、前記第１ミキサー（４０６）は前記受信信号と第１ＶＣＯ（４０７）から提供される周波数とを合成してバンド＿ＩＩＩ（Ｂａｎｄ＿ＩＩＩ）（１７４〜２４０ＭＨｚ）信号に変換する。ここで、前記第１ＶＣＯ（４０７）はＰＬＬ／Ｉ２Ｃ（４１３）により制御され、前記ＲＦ処理部（４３０）に該当するＩＣチップの外部に設けられる。
【００１４】
以後、前記第１ミキサーの出力はイメージ除去のための第３ＢＰＦ（４１０）を通して第２ミキサー（４１１）に入力される。
【００１５】
すると、前記第２ミキサー（４１１）は前記第３ＢＰＦ（４１０）から出力された信号を第２ＶＣＯ（４１２）から提供される周波数と合成して所望の中間周波数（ＩＦ）を含む信号に変換する。ここで、前記第２ＶＣＯ（４１２）は前記ＰＬＬ／Ｉ２Ｃ（４１３）により制御され、前記ＲＦ処理部（４３０）に該当するＩＣチップの内部に設けられる。
【００１６】
そして、前記第２ミキサー（４１１）の出力信号は第４ＢＰＦ（４１４）、第３ＬＮＡ（４１５）、第５ＢＰＦ（４１６）、第２ＡＧＣ（４１７）を経て、最終的なチャネル選択のための第６ＢＰＦ（４１８）を通して前記中間周波数（ＩＦ）信号が出力される。
【００１７】
従来のワンチップ（ｏｎｅ  ｃｈｉｐ）二重帯域支援受信機（４００）からバンド＿ＩＩＩ用アンテナ（４２１）を通して受信された信号は、第７ＢＰＦ（４２２）及び第４ＬＮＡ（４２３）を通して前記第３ＢＰＦ（４１０）に入力された後、前記第２ＶＣＯ（４１２）の発振周波数により前記中間周波数（ＩＦ）信号に変換される。
【発明の開示】
【発明が解決しようとする課題】
【００１８】
ところで、従来のワンチップ二重帯域支援受信機（４００）は、前記Ｌ−バンド信号を処理すべく前記ＲＦ処理部（４３０）に該当するＩＣチップの外部に第１ＶＣＯ（４０７）を設け、前記ＩＣチップの内部に第２ＶＣＯ（４１２）を別途に設けなければならない。とりわけ、前記第１ＶＣＯ（４０７）は前記ＩＣチップの外部に設けなければならないので、作製費用が多くなるという問題がある。また、従来のワンチップ二重帯域支援受信機（４００）はバンド＿ＩＩＩ信号をヘテロダイン方式と似たように処理するので、やはり信号の減衰が頻発するという問題がある。
【００１９】
前記のような問題を解決すべく、本発明の目的は、一つの電圧制御発振器を用いて相異する二帯域のＲＦ信号を処理する二重帯域支援受信機を提供することにある。  
また、本発明の他の目的は、イメージ除去のためのフィルターが前記電圧制御発振器の電圧を利用して入力信号に対するチャネル選択をすることによりチャネル選択度の高い二重帯域支援受信機を提供することにある。  
更に、本発明のさらに他の目的は、一つのシリコン基板上に二重帯域ＲＦ受信機が設けられるよう最適化された二重帯域支援受信機を提供することにある。
【課題を解決するための手段】
【００２０】
前記目的を成し遂げるための本発明による二重帯域支援受信機は、第１帯域ＲＦ信号を増幅するための第１増幅部と、前記第１帯域より低い帯域の第２帯域ＲＦ信号を増幅するための第２増幅部と、前記第１増幅部及び前記第２増幅部の出力に連結され、イメージ周波数を除去するための第１フィルターと、前記第１帯域ＲＦ信号を所定のＩＦ信号に変換するための所定の発振周波数を出力する電圧制御発振器と、前記第２帯域ＲＦ信号を前記ＩＦ信号に変換すべく前記所定の発振周波数を所定の比率で分割するディバイダーと、前記第１フィルターの出力と前記電圧制御発振器と前記ディバイダーの出力に連結され、前記電圧制御発振器の出力と前記第１帯域ＲＦ信号とを混合したり、または前記ディバイダーの出力と前記第２帯域ＲＦ信号とを混合して前記ＩＦ信号を出力するミキサーと、前記第１帯域ＲＦ信号に対しては前記１増幅部を駆動して前記電圧制御発振器の出力を前記ミキサーに直接入力し、前記第２帯域ＲＦ信号に対しては前記第２増幅部を駆動して前記ＶＣＯの出力が前記ディバイダーを通して前記ミキサーに入力されるようスイッチするスイッチ部と、を含むことを特徴とする。
【００２１】
前記目的を成し遂げるための本発明による他の二重帯域支援受信機は、第１帯域ＲＦ信号を増幅するための第１増幅部と、前記第１増幅の出力に連結され、イメージ周波数を除去するための第１フィルターと、前記第１帯域ＲＦ信号を所定のＩＦ信号に変換すべく所定の発振周波数を出力する電圧制御発振器と、前記第１フィルターの出力と前記電圧制御発振器に連結され、前記第１フィルター出力と前記電圧制御発振器の出力とを混合して前記第２帯域ＲＦ信号を出力する第１ミキサーと、前記第１帯域より低帯域の第２ＲＦ信号を増幅するための第２増幅部と、前記第１ミキサー及び前記第２増幅部の出力に連結され、イメージ周波数を除去するための第２フィルターと、前記第２帯域ＲＦ信号を前記ＩＦ信号に変換すべく前記所定の発振周波数を所定の比率で分割するディバイダーと、前記第２フィルターの出力と前記ディバイダーの出力に連結され、前記第２フィルターの出力と前記ディバイダーの出力を用いて前記ＩＦ信号を出力する第２ミキサーと、前記第１帯域ＲＦ信号に対しては前記第１増幅部を駆動して前記電圧制御発振器の出力を前記第１ミキサーに直接入力し、前記第２帯域ＲＦ信号に対しては前記第２増幅部を駆動して前記電圧制御発振器の出力が前記ディバイダーを通して前記第２ミキサーに入力されるようスイッチするスイッチ部とを含むことを特徴とする。
【発明の効果】
【００２２】
前述したような本発明によると、シングルコンバージョン（Ｓｉｎｇｌｅ  Ｃｏｎｖｅｒｓｉｏｎ）方式のＲＦ受信機を一つのシリコン基板内部に構成し、ＤＭＢシステムのバンド＿ＩＩＩ、Ｌ−バンドを一つのＲＦ受信機ＩＣチップを用いて処理し、全（ｆｕｌｌｙ）ＣＭＯＳで構成して、相異な工程を用いる場合、発生しかねない費用と設計の均一性を提供できる利点を奏する。  
また、本発明によると、ベースバンド（Ｂａｓｅｂａｎｄ）のディジタルＩＣと同一な電圧及び工程を用いることができ、ＳｏＣ（Ｓｙｓｔｅｍ−ｏｎ−Ｃｈｉｐ）の可能性を向上させる利点を奏する。  
さらに、本発明によると、Ｌ−バンドＶＣＯの発振範囲を利用してバンド＿ＩＩＩ領域を駆動できるようにして、二重帯域信号を一つのＶＣＯで処理できる利点を奏する。
【００２３】
また、本発明によると、イメージ除去のために使用される外部帯域通過フィルター（ＢＰＦ）をチップ内部のＶＣＯにより自動調節されるようにし、チャネル選択度を高められる利点を奏する。  
また、本発明によると、簡単且つ最適化された単一チップＤＭＢ受信機を提供することにより、従来の前記受信機を応用した受信機応用回路が単純化され多くの周辺素子と特殊機能を行う応用回路を全て半導体集積回路内に構成することで輸入に依存する諸素子の数を減らし、これにより実際の受信機製造費用の約３０〜４０％を占めるＲＦ受信機内部の応用素子数が減少するので、製造費用が省かれ競争力を備えた向後のマルチメディアシステムに適用し易いという利点を奏する。
【発明を実施するための最良の形態】
【００２４】
本発明の好ましき実施の形態について添付の図面を参照しながら詳細に説明する。図面の参照番号及び同一構成要素に対しては、たとえ異なる図面上に表示されても、できる限り同一な参照番号及び符号により示している。下記において本発明の説明にあたって、関連公知機能または構成に対する具体的な説明が本発明の旨を不要に曖昧にしかねないと判断される場合、その詳細な説明を省く。
【００２５】
＜第１実施例＞  
図１は本発明の第１実施例による二重帯域支援受信機の回路図である。図１によると、本発明の第１実施例による二重帯域支援受信機（１００）は、第１増幅部（１１０）、第２増幅部（１２０）、第１フィルター（１３０）、電圧制御発振器（ＶＣＯ）（１５０）、ディバイダー（１６０）、ミキサー（１４０）、スイッチ部（１７０、１７１）を含み、前記第１フィルター（１３０）を除けば、次のようにシリコン基板上に一つのＩＣチップで成る。
【００２６】
Ｌ−バンド（Ｌ−Ｂａｎｄ）（１４５２〜１４９２ＭＨｚ）用アンテナ（１０１）から受信されたＲＦ信号（以下、「第１帯域ＲＦ信号」という）は第１増幅部（１１０）を通して第１フィルター（１３０）に提供される。ここで、前記第１増幅部（１１０）はＬＮＡ（１１１）とＡＧＣ（１１２）とを有する。
【００２７】
そして、バンド＿ＩＩＩ（Ｂａｎｄ＿ＩＩＩ）（１７４〜２４０ＭＨｚ）用アンテナ（１０２）から受信されたＲＦ信号（以下、「第２帯域ＲＦ信号」という）は第２増幅部（１２０）を通して前記第１フィルター（１３０）に提供される。ここで、前記第２増幅部（１２０）もやはりＬＮＡ（１２１）とＡＧＣ（１２２）とを有する。
【００２８】
前記第１フィルター（１３０）の出力はミキサー（１４０）に入力される。前記ＶＣＯ（１５０）の出力は第１バッファ（１５１）を通して前記ミキサー（１４０）に接続される経路を有する。また、前記ＶＣＯ（１５０）の出力はディバイダー（割り算器）（１６０）に提供され、前記ディバイダー（１６０）の出力は第２バッファ（１６１）を通して前記ミキサー（１４０）に連結される経路が追加される。
【００２９】
スイッチ部（１７０、１７１）の出力は前記第１増幅部（１１０）と前記第２増幅部（１２０）と前記第１、２バッファ（１５１、１６１）に入力される。前記第１フィルター（１３０）は第３バッファ（１８１）を通してＰＬＬ／Ｉ２Ｃ（１８０）に接続される。そして前記ＶＣＯ（１５０）と、前記ディバイダー（１６０）と、前記スイッチ部（１７０、１７１）との入力はＰＬＬ／Ｉ２Ｃ（１８０）に連結される。
【００３０】
前記ミキサー（１４０）の出力は第２フィルター（１９０）を通して前記受信機（１００）の出力端（１０３）に入力される。
【００３１】
前記本発明の第１実施例による二重帯域支援受信機（１００）は次のように作動する。
【００３２】
先ず、前記Ｌ−バンド（Ｌ−Ｂａｎｄ）用アンテナ（１０１）から受信されたＲＦ信号（第１帯域ＲＦ信号）は第１増幅部（１１０）に入力され所定の大きさに増幅される。前記第１増幅部（１１０）は内部に低ノイズ増幅器（ＬＮＡ）（１１１）と自動利得調節器（ＡＧＣ）（１１２）とを含む。前記ＬＮＡ（１１１）は、前記第１帯域ＲＦ信号に含まれたノイズの増幅をできる限り抑制し、所望の信号のみ増幅した後、前記ＡＧＣ（１１２）に提供する。そして、前記ＡＧＣ（１１２）は、前記第１帯域ＲＦ信号の大きさが変化しても常に一定の大きさの出力を提供できるよう利得を自動的に調節し、その出力は前記第１フィルター（１３０）に入力される。
【００３３】
そして、前記バンド＿ＩＩＩ用アンテナ（１０２）から受信されたＲＦ信号（第２帯域ＲＦ信号）は第２増幅部（１２０）に入力され所定の大きさに増幅される。前記第２増幅部（１２０）もやはり内部にＬＮＡ（１２１）とＡＧＣ（１２２）とを含む。前記ＬＮＡ（１２１）は、前記第２帯域ＲＦ信号に含まれたノイズの増幅をできる限り抑制し、所望の信号のみ増幅してから、前記ＡＧＣ（１２２）に提供する。そして、前記ＡＧＣ（１２２）は、前記第２帯域ＲＦ信号の大きさが変化しても常に一定の大きさの出力を提供できるよう利得を自動的に調節し、その出力は前記第１フィルター（１３０）に入力される。
【００３４】
前記第１フィルター（１３０）は、前記受信機チップの外部に設けられ前記ミキサー（１４０）の図中前に位置し、入力ＲＦ信号に含まれた映像周波数（Ｉｍａｇｅ  Ｆｒｅｑｕｅｎｃｙ）を除去する映像除去フィルター（Ｉｍａｇｅ  Ｒｅｊｅｃｔ  Ｆｉｌｔｅｒ）である。ここで、前記第１フィルター（１３０）はＶＣＯ（１５０）の電圧を利用して入力信号に対するチャネル選択ができるよう構成することにより、チャネル選択度を高めることができる。そして、前記第１フィルター（１３０）の出力は前記ミキサー（１４０）に入力される。
【００３５】
前記ＶＣＯ（１５０）は前記ＰＬＬ／Ｉ２Ｃ（１８０）から提供される制御電圧を利用して所定の発振周波数（６００ＭＨｚ〜１５００ＭＨｚ）を出力する。前記所定の発振周波数と前記第１ＲＦ信号の周波数との差は前記中間周波数（ＩＦ）と一致するよう設定される。そして、前記ＶＣＯ（１５０）の出力は第１バッファ（１５１）を経て前記ミキサー（１４０）に提供される。
【００３６】
前記ディバイダー（Ｄｉｖｉｄｅｒ：割り算器）（１６０）は前記ＶＣＯ（１５０）から出力された発振周波数を約１／４倍に分割（１５０ＭＨｚ〜３７５ＭＨｚ）する。そして、前記ディバイダー（１６０）の出力は第２バッファ（１６１）を経て前記ミキサー（１４０）に提供される。即ち、前記ＶＣＯ（１５０）の出力は前記第１バッファ（１５１）を経て前記ミキサー（１４０）に連結される一つの経路と、前記ディバイダー（１６０）及び前記第２バッファ（１６１）を経て前記ミキサー（１４０）に連結される他の経路とにより前記ミキサー（１４０）に提供される。
【００３７】
前記ミキサー（１４０）は、前記第１フィルター（１３０）から入力されるＲＦ信号と前記ＶＣＯ（１５０）から前記第１バッファ（１５１）または前記第２バッファ（１６１）を通して入力される周波数との間から混変調された信号を取り出す。この際、前記混変調された信号には前記中間周波数（ＩＦ）が含まれる。
【００３８】
前記スイッチ部（１７０、１７１）は、前記Ｌ−バンド用アンテナ（１０１）から第１帯域ＲＦ周波数が受信された場合には前記第１増幅部（１１０）と前記第１バッファ（１５１）を駆動し、前記第２増幅部（１２０）及び前記第２バッファ（１６１）は遮断する。したがって、この場合、前記ミキサー（１４０）においては、前記第１帯域ＲＦ信号と前記ＶＣＯ（１５０）の所定発振周波数とが混変調され前記ＩＦ信号が取り出される。
【００３９】
他方、前記バンド＿ＩＩＩ用アンテナ（１０２）から第２帯域ＲＦ信号が受信された場合には前記第２増幅部（１１０）と前記第２バッファ（１６１）を駆動し、前記第１増幅部（１２０）及び前記第１バッファ（１５１）は遮断する。したがって、この場合、前記ミキサー（１４０）においては、前記第２帯域ＲＦ信号と前記ディバイダー（１６０）の出力周波数とが混変調され前記ＩＦ信号を取り出されるようになる。
【００４０】
前記ＰＬＬ／Ｉ２Ｃ（１８０）は所定の基準信号と前記ＶＣＯ（１５０）からフィードバック（ｆｅｅｄｂａｃｋ）される発振出力との位相差を比較して前記ＶＣＯ（１５０）の周波数及び位相を調節する。ここで、前記ＰＬＬ／Ｉ２Ｃ（１８０）は内部にチャネル情報を有し、同一な制御電圧を利用して前記ＶＣＯ（１５０）と前記第１フィルター（１３０）を制御することによりチャネル選択度を高めることができる。
【００４１】
また、前記ＰＬＬ／Ｉ２Ｃ（１８０）は前記スイッチ部（３７０）を制御する。例えば、前記第１増幅部（１１０）の内部のＬＮＡ（１１１）とＡＧＣ（１１２）と前記第１バッファ（１５１）に各々スイッチバッファ（１７２）の出力を連結し、前記第２増幅部（１２０）の内部のＬＮＡ（１２１）とＡＧＣ（１２２）及び前記第２バッファ（１６１）に各々スイッチインバーター（１７３）の出力を連結する。そして、前記スイッチバッファ（１７２）及び前記スイッチインバーター（１７３）の入力は前記ＰＬＬ／Ｉ２Ｃ（１８０）に連結する。すると、前記第１帯域ＲＦ信号を処理する場合には前記ＰＬＬ／Ｉ２Ｃ（１８０）が前記スイッチ部（１７０、１７１）に信号「１」を提供することにより前記第１増幅部（１１０）と前記第１バッファ（１５１）を駆動し、前記第２増幅部（１２０）と前記第２バッファ（１６１）を遮断することができる。それに対して、前記第２帯域ＲＦ信号を処理する場合には前記ＰＬＬ／Ｉ２Ｃ（１８０）が前記スイッチ部（１７０、１７１）に信号「０」を提供することにより前記第１増幅部（１１０）と前記第１バッファ（１５１）は遮断し、前記第２増幅部（１２０）と前記第２バッファ（１６１）を駆動することができる。
【００４２】
前記ミキサー（１４０）の出力と前記受信機（１００）の出力端（１０３）との間には第２フィルター（１９０）が追加される。前記第２フィルター（１９０）は前記ミキサー（１４０）の出力信号中所望のチャネル信号のみ選択する帯域通過フィルター（Ｂａｎｄ  Ｐａｓｓ  Ｆｉｌｔｅｒ：「ＢＰＦ」）である。前記第２フィルター（１９０）は正確なチャネル選択のために狭帯域幅で所望の信号の周波数のみ選択できる表面弾性波フィルター（Ｓｕｒｆａｃｅ  Ａｃｏｕｓｔｉｃ  Ｗａｖｅ  Ｆｉｌｔｅｒ：「ＳＡＷ  Ｆｉｌｔｅｒ」）を用いて前記ＩＣチップの外部に設けることができる。しかし、より好ましくは、チャネル選択のための前記第２フィルター（１９０）を前記ＩＣチップの内部に設けることができる。
【００４３】
＜第２実施例＞  
図２は本発明の第２実施例による二重帯域支援受信機の回路図である。図２によると、本発明の第２実施例による二重帯域支援受信機（２００）はＬ−バンド入力フィルター（２０４）、バンド＿ＩＩＩ入力フィルター（２０５）、第１増幅部（２１０）、第２増幅部（２４０）、第１ないし第３フィルター（２２０、２２１、２９０）、第１ミキサー（２３０）、第２ミキサー（２６０）、電圧制御発振器（ＶＣＯ）（２７０）、ディバイダー（２７５）、スイッチ部（２５０）を含み、前記バンド＿ＩＩＩ入力フィルター（２０５）、第１、２フィルター（２２０、２２１）を除けば、次のようにシリコン基板上に一つのＩＣチップで成る。
【００４４】
Ｌ−バンド（Ｌ−Ｂａｎｄ）（１４５２〜１４９２ＭＨｚ）用アンテナ（２０１）から受信されたＲＦ信号（第１帯域ＲＦ信号）は前記ＩＣチップ内部に設けられるＬ−バンド入力フィルター（２０４）を通して前記第１増幅部（２１０）に提供される。ここで、前記第１増幅部（２１０）はＬＮＡ（２１１）とＡＧＣ（２１２）とを有する。
【００４５】
そして、前記第１増幅部（２１０）の出力は第１フィルター（２２０）に入力される。前記第１フィルター（２２０）の出力は前記第１ミキサー（２３０）に入力され、前記第１ミキサー（２３０）の出力は前記第２フィルター（２２１）に提供される。
【００４６】
そして、バンド＿ＩＩＩ（Ｂａｎｄ＿ＩＩＩ）（１７４〜２４０ＭＨｚ）用アンテナ（２０２）から受信されたＲＦ信号（第２帯域ＲＦ信号）は前記ＩＣチップの外部に設けられるバンド＿ＩＩＩ入力フィルター（２０５）と第２増幅部（２４０）を通して前記第２フィルター（２２１）に提供される。ここで、前記第２増幅部（２４０）はＬＮＡ（２４１）とＡＧＣ（２４２）とを有する。
【００４７】
前記第２フィルター（２２１）の出力は第２ミキサー（２６０）に入力される。前記ＶＣＯ（２７０）の出力は第１バッファ（２７１）を通して前記第１ミキサー（２３０）に入力される。また、前記ＶＣＯ（２７０）の出力はディバイダー（２７５）に提供され、前記ディバイダー（２７５）の出力は第２バッファ（２７６）を通して前記第２ミキサー（２６０）に入力される。
【００４８】
前記スイッチ部（２５０）の出力は前記第１増幅部（２１０）と前記第２増幅部（２４０）に入力される。
【００４９】
前記第１フィルター（２２０）と第２フィルター（２２１）の入力は第３バッファ（２８１）を通してＰＬＬ／Ｉ２Ｃ（２８０）に連結される。そして、前記ＶＣＯ（２７０）と、前記ディバイダー（２７５）と、前記スイッチ部（２５０）の入力はＰＬＬ／Ｉ２Ｃ（２８０）に連結される。
【００５０】
前記第２ミキサー（２６０）の出力は第３フィルター（２９０）を通して前記受信機（２００）の出力端（２０３）に入力される。
【００５１】
前記本発明の第２実施例による二重帯域支援受信機（２００）は次のように作動する。
【００５２】
先ず、前記Ｌ＿バンド（Ｌ＿Ｂａｎｄ）用アンテナ（２０１）から受信されたＲＦ信号（第１帯域ＲＦ信号）は、Ｌ−バンド入力フィルター（２０４）を通して前記Ｌ−バンドの信号が濾過され、以後前記第１増幅部（２１０）に入力されて所定の大きさに増幅される。前記第１増幅部（２１０）は内部に低ノイズ増幅器（ＬＮＡ）（２１１）と自動利得調節器（ＡＧＣ）（２１２）とを含む。前記ＬＮＡ（２１１）は前記第１帯域ＲＦ信号に含まれたノイズの増幅をできる限り抑制し、所望の信号のみ増幅した後、前記ＡＧＣ（２１２）に提供する。そして、前記ＡＧＣ（２１２）は、前記第１帯域ＲＦ信号の大きさが変化されても常に一定の大きさの出力を提供できるよう利得を自動的に調節し、その出力は前記第１フィルター（２２０）に入力される。
【００５３】
前記第１フィルター（２２０）は前記受信機チップの外部に設けられ前記第１ミキサー（２３０）の図中前に位置し、入力ＲＦ信号に含まれた映像周波数（Ｉｍａｇｅ  Ｆｒｅｑｕｅｎｃｙ）を除去する映像除去フィルター（Ｉｍａｇｅ  Ｒｅｊｅｃｔ  Ｆｉｌｔｅｒ）である。前記第１フィルター（２２０）の出力は前記第１ミキサー（２３０）に入力される。
【００５４】
そして、前記ＶＣＯ（２７０）は前記ＰＬＬ／Ｉ２Ｃ（２８０）から提供される制御電圧を利用して所定の発振周波数（６００〜１５００ＭＨｚ）を出力する。前記所定の発振周波数と前記第１ＲＦ信号の周波数との差は前記バンド＿ＩＩＩ（１７４〜２４０ＭＨｚ）、即ち第２ＲＦ帯域に該当するよう設定される。
【００５５】
そして、前記ＶＣＯ（２７０）の出力は第１バッファ（２７１）を経て前記第１ミキサー（２３０）に提供される。
【００５６】
すると、前記第１ミキサー（２３０）は前記第１フィルター（２２０）から入力される第１ＲＦ帯域信号と前記ＶＣＯ（２７０）から前記第１バッファ（２７１）を通して入力される発振周波数との間から混変調された信号を取り出す。この際、前記混変調された信号には前記バンド＿ＩＩＩの信号が含まれる。ここで、前記第１フィルター（２２０）は前記ＶＣＯ（２７０）の電圧を利用して入力信号に対するチャネル選択をできるよう構成することにより、チャネル選択度を高めることができる。前記第１ミキサー（２３０）の出力は前記第２フィルター（２２１）に提供される。
【００５７】
そして、前記バンド＿ＩＩＩ用アンテナ（２０２）から受信されたＲＦ信号（第２帯域ＲＦ信号）は前記バンド＿ＩＩＩ入力フィルター（２０５）を通してバンド＿ＩＩＩ帯域の信号が濾過されてから、前記第２増幅部（２４０）に入力されて所定の大きさに増幅される。前記第２増幅部（２４０）もやはり内部にＬＮＡ（２４１）とＡＧＣ（２４２）とを含む。前記ＬＮＡ（２４１）は前記第２帯域ＲＦ信号に含まれたノイズの増幅をできる限り抑制し、所望の信号のみ増幅した後、前記ＡＧＣ（２４２）に提供する。そして、前記ＡＧＣ（２４２）は前記第２帯域ＲＦ信号の大きさが変化しても常に一定の大きさの出力を提供できるよう利得を自動的に調節し、その出力は前記第２フィルター（２２１）に入力される。
【００５８】
前記第２フィルター（２２１）は前記受信機ＩＣチップの外部に設けられ前記第２ミキサー（２６０）の図中前に位置し、入力ＲＦ信号に含まれた映像周波数（Ｉｍａｇｅ  Ｆｒｅｑｕｅｎｃｙ）を除去する映像除去フィルター（Ｉｍａｇｅ  Ｒｅｊｅｃｔ  Ｆｉｌｔｅｒ）である。ここで、前記第２フィルター（２２１）は前記ＶＣＯ（２７０）の電圧を利用して入力信号に対するチャネル選択ができるよう構成することにより、チャネル選択度を高めることができる。
【００５９】
前記第２フィルター（２２１）の出力は前記第２ミキサー（２６０）に入力される。
【００６０】
前記ディバイダー（Ｄｉｖｉｄｅｒ：割り算器）（２７５）は前記ＶＣＯ（２７０）において出力された発振周波数を約１／４倍に分割（１５０〜３７５ＭＨｚ）する。そして、前記ディバイダー（２７５）の出力は第２バッファ（２７６）を経て前記第２ミキサー（２６０）に提供される。
【００６１】
前記第２ミキサー（２６０）は、前記第２フィルター（２２１）を通して入力されるＲＦ信号と前記ＶＣＯ（２７０）から前記ディバイダー（Ｄｉｖｉｄｅｒ）（２７５）と前記第２バッファ（２７６）を通して入力される発振周波数との間から混変調された信号を取り出す。この際、前記混変調された信号には前記中間周波数（ＩＦ）が含まれる。
【００６２】
前記スイッチ部（２５０）は、前記Ｌ−バンド用アンテナ（２０１）から第１帯域ＲＦ信号が受信された場合には前記第１増幅部（２１０）を駆動し、前記第２増幅部（２４０）は遮断する。したがって、この場合、前記受信された第１帯域ＲＦ信号は前記第１ミキサー（２３０）を通して前記第２帯域（バンド＿ＩＩＩ）に変換された後、再び前記第２ミキサー（２６０）を通して前記中間周波数（ＩＦ）に変換されることができる。
【００６３】
他方、前記スイッチ部（２５０）は前記バンド＿ＩＩＩ用アンテナ（２０２）を通して第２帯域ＲＦ信号が受信された場合には前記第２増幅部（２４０）を駆動し、前記第１増幅部（２１０）は遮断する。したがって、この場合、前記第２ミキサー（２６０）は前記受信された第２帯域ＲＦ信号を用いて前記中間周波数（ＩＦ）を取り出すことができる。
【００６４】
前記ＰＬＬ／Ｉ２Ｃ（２８０）は所定の基準信号と前記ＶＣＯ（２７０）からフィードバック（ｆｅｅｄｂａｃｋ）される発振出力との位相差を比較して前記ＶＣＯ（２７０）の周波数及び位相を調節する。この際、前記ＰＬＬ／Ｉ２Ｃ（２８０）は内部にチャネル情報を有し、同じ制御電圧を用いて前記ＶＣＯ（２７０）と前記第１フィルター（２２０）と前記第２フィルター（２２１）を制御することによりチャネル選択度を高められる。
【００６５】
また、前記ＰＬＬ／Ｉ２Ｃ（２８０）は前記スイッチ部（２５０）を制御する。例えば、前記第１増幅部（２１０）の内部のＬＮＡ（２１１）とＡＧＣ（２１２）と前記第１バッファ（２７１）に各々スイッチバッファ（２５１）の出力を連結し、前記第２増幅部（２４０）内部のＬＮＡ（２４１）とＡＧＣ（２４２）に各々スイッチインバーター（２５２）の出力を連結する。そして、前記スイッチバッファ（２５１）及び前記スイッチインバーター（２５２）の入力は前記ＰＬＬ／Ｉ２Ｃ（２８０）に連結する。すると、前記第１帯域ＲＦ信号を処理する際には、前記ＰＬＬ／Ｉ２Ｃ（２８０）が前記スイッチ部（２５０）に信号「１」を提供することにより前記第１増幅部（２１０）と前記第１バッファ（２５１）を駆動し、前記第２増幅部（２４０）を遮断することができる。他方、前記第２帯域ＲＦ信号を処理する際には、前記ＰＬＬ／Ｉ２Ｃ（２８０）が前記スイッチ部（２５０）に信号「０」を提供することにより前記第１増幅部（２１０）と前記第１バッファ（２７１）は遮断し、前記第２増幅部（２４０）を駆動することができる。この際、前記ディバイダー（２７５）は前記ＰＬＬ／Ｉ２Ｃ（２８０）から別途の制御信号により駆動される。
【００６６】
そして、前記Ｌ−バンド用アンテナ（２０１）と前記第１増幅部（２１０）との間にはチップ内部に設けられるＬ−バンド入力フィルター（２０４）が含まれる。前記Ｌ−バンド入力フィルター（２０４）は帯域通過フィルター（ＢＰＦ）であり前記Ｌ−バンド信号を濾過する。また、バンド＿ＩＩＩ用アンテナ（２０２）と前記第２増幅部（２４０）との間にはチップ外部に設けられるバンド＿ＩＩＩ入力フィルター（２０５）を接続させることができる。前記バンド＿ＩＩＩ入力フィルター（２０５）もやはり帯域通過フィルター（ＢＰＦ）であり前記バンド＿ＩＩＩ信号を濾過する。
【００６７】
前記第２ミキサー（２６０）の出力と前記受信機（２００）の出力端（２０３）との間には第３フィルター（２９０）が追加される。前記第３フィルター（２９０）は前記第２ミキサー（２６０）の出力信号中所望のチャネル信号のみ選択する帯域通過フィルター（Ｂａｎｄ  Ｐａｓｓ  Ｆｉｌｔｅｒ：「ＢＰＦ」）である。前記第３フィルター（２９０）は正確なチャネル選択のために狭帯域幅で所望の信号の周波数のみ選択することができる表面弾性波フィルター（Ｓｕｒｆａｃｅ  Ａｃｏｕｓｔｉｃ  Ｗａｖｅ  Ｆｉｌｔｅｒ：「ＳＡＷ  Ｆｉｌｔｅｒ」）を用いて前記ＩＣチップの外部に設けられる。しかし、より好ましくは、チャネル選択のための前記第３フィルター（２９０）を前記ＩＣチップの内部に設けることができる。
【００６８】
以上、本発明の詳細な説明においては具体的な実施例に係り説明したが、本発明の範囲を外れない限度内で多様な変形が可能なことはいうまでもない。したがって、本発明の範囲は説明された実施例に限って定められてはならず、添付の特許請求の範囲や該特許請求の範囲と均等なるものにより定められるべきである。
【図面の簡単な説明】
【００６９】
【図１】本発明の第１実施例によるＤＭＢ用二重帯域支援受信機の回路図である。
【図２】本発明の第２実施例によるＤＭＢ用二重帯域支援受信機の回路図である。
【図３】従来のツーチップ（ｔｗｏ  ｃｈｉｐ）ヘテロダイン（Ｈｅｔｅｒｏｄｙｎｅ）方式による受信機の回路図である。
【図４】従来のワンチップ（ｏｎｅ  ｃｈｉｐ）二重帯域支援受信機の回路図である。
【符号の説明】
【００７０】
１００，２００  二重帯域支援受信機
１１０，２１０  第１増幅部
１２０，２２０  第２増幅部
１３０，２２０  第１フィルター
１９０，２２１  第２フィルター
１４０，２３０  第１ミキサー
１５０，２７０  電圧制御発振器
１６０，２７５  ディバイダー
１７０，１７１，２５０  スイッチ部
１９０，２６０  第２ミキサー
２９０  第三フィルター
【図１】
2005117611.tif 000003
【図２】
2005117611.tif 000004
【図３】
2005117611.tif 000005
【図４】
2005117611.tif 000006